【事件の表示】
　平成８年特許願第２０６３０５号「フライホイールコントロールのコンピュータ用カラーモニタ」拒絶査定に対する審判事件［平成１０年　２月２０日出願公開、特開平１０−　４９１１９］について、次のとおり審決する。
【結　論】
　本件審判の請求は、成り立たない。
【理　由】
１．手続の経緯・本願発明
　本願は、平成８年７月３日の出願であって、その請求項１〜３に係る発明は、平成１１年９月２９日付手続補正書で補正された明細書及び図面の記載によれば、特許請求の範囲の請求項１〜３に記載されたとおりのものと認められるところ、請求項１には次の事項が記載されている。（以下、請求項１に係る発明を「本願発明」という。）
「中央処理装置１０、ビット発生器１１、ＥＥＰＲＯＭ１２、複数のディジタル・アナログ変換器１３、スクリーン上表示集積回路１４、映像回路１５、偏向或いはその他のハードウエア回路１６及びブラウン管１７を備え、ビット発生器１１は調整する変数を中央処理装置１０に送り、それによりビット発生器１１の左転、右転、快慢、或いは圧置の動作を識別し、コンピュータより一つの情報を送り、スクリーン上表示集積回路１４に映像回路１５を経てブラウン管１７上にそれぞれ調整するアイコン（ＩＣＯＮ）及び所在の画像モードを表示し、使用者がブラウン管１７上で表示された機能図表を見られるようにしてあり、ビット発生器１１を回転させてその位置の所在を調整することで、調整したい機能に対して適当な調整が行えることを特徴とする、フライホイールコントロールのコンピュータ用カラーモニタ。」
　
２．引用刊行物記載の発明
　原査定の拒絶の理由に引用された特開平３−２９６１２８号公報（以下、「引用刊行物」という。）には、特に第４〜６図とともに、次の事項が記載されている。
（ア）「［産業上の利用分野］この発明は、オーディオ機器、ビジュアル機器等をコントロールするのに適用できる制御信号発生装置及び制御システムに関する。
［発明の概要］請求項（１）記載の発明は、回転自在に可撓性の軸により支持されたローラと、ローラと関連して設けられた回転検出器と、回転検出器からの検出信号によりローラの回転方向及び回転量を示す出力信号を発生する第１の検出回路と、ローラが押し込まれたことを検出する検出スイッチと、検出スイッチのオン／オフに対応した出力信号を発生する第２の検出回路とからなる制御用入力装置であり、ポインティングとコントロール量の入力との両者を一つのローラの操作で行いうる。
　請求項（２）記載の発明は、上述の制御用入力装置と、複数の被制御対象と被制御対象の制御量とを表示するための表示装置と、被制御対象及び制御量を第１の検出回路の出力信号により設定し、設定された状態を第２の検出回路の出力信号で有効となすための回路とからなる制御システムであり、被制御対象の増加等に制御用入力装置の構成を変更することなく対処できる。
　請求項（３）記載の発明は、ローラがポインティングデバイスとしての機能と制御量入力の機能とのどちらを発揮しているかを表示手段の画面上で容易に識別するためのものである。」（第１頁右下欄第１８行から第２頁右上欄第５行）
（イ）「また、ＣＲＴディスプレイ等の表示装置を有する機器に用いる制御用入力装置としては、従来キー入力装置が殆ど使用されている。従って、表示装置の画面と多数のキーとの両者を見ながら、入力操作を行う必要があった。
　従って、この発明の目的は、上述の従来の制御用入力装置の問題点を解決できる制御用入力装置を提供することにある。
　この発明の他の目的は、被制御対象の増加等の変更に対処することが容易な制御システムを提供することにある。」（第２頁左下欄第１９行から右下欄第１０行）
（ウ）「第４図はテレビジョン装置の構成を示す。・・・（中略）・・・ＲＯＭ２４に格納されているプログラムに従って、ＣＰＵ２３は、表示制御回路２５、スーパーインポーズ装置２６、機器内部の被制御対象２９、送信回路３０及びバス出力端子３１に対して制御信号を供給する。この実施例では、被制御対象は、テレビジョン装置に関連する回路である。また、スーパーインポーズ装置２６においては、表示制御回路２５からのカーソル情報、ローラの状態等を示すＲＧＢ信号と入力端子２７から入力ＲＧＢ信号とが合成され、出力端子２８に合成画像が取り出される。この合成画像が出力端子２８に接続されたＣＲＴに供給される。・・・（中略）・・・テレビジョン装置にも、ローラ部４１及びスイッチ４２が設けられている。ローラ部４１からの検出パルスが検出回路４３に供給され、スイッチ４２からの検出信号が検出回路４４に供給される。検出回路４３及び４４の出力信号が夫々ＣＰＵ２３に供給される。この入力装置は、上述のコマンダに設けられているものと同様の構成であり、その説明を省略する。」（第４頁右上欄第４行から左下欄第１４行）
（エ）「上述の一実施例において、テレビジョン装置のパワーがオンの状態で、ローラ１ａを押し込むと、管面４５にメニュー画面が表示される。・・・（中略）・・・メニュー画面は、テレビジョン装置のビデオ入力の切り替えを指定したり、制御する機器としてテレビジョン装置或いは外部の機器を選択したり、テレビジョン装置のコントロールの内容を選択するために用いられる。テレビジョン装置のコントロール内容としては、チャンネル切り替え、音量調整のような日常的なコントロール内容と画面の明るさ等の調整内容とが設定されている。・・・（中略）・・・
　ローラ１ａでカーソルを動かして調整内容のメニューを選択し、ローラ１ａを押し込むと、管面４５上に第６図Ａに示す表示画面４５Ａが表れる。表示画面４５Ａは、制御内容の表示とその制御量の表示とからなる表示ブロックが複数個縦に配列されたものである。図示の例では、ヒューコントロール（制御量の範囲が−３１〜＋３２）、カラーコントロール（制御量の範囲が０〜６３）、ブライトネスコントロール（制御量の範囲が０〜６３）、ピクチャー（輝度レベル）コントロール（制御量の範囲が０〜６３）、シャープネスコントロール（制御量の範囲が−３１〜＋３２）に関する表示ブロックが設けられ、また、各コントロール量を初期値に戻すリセット用の表示ブロックと、前ページに戻るための表示ブロックとが設けられている。
　一例として、ヒューコントロールを行う時には、ローラ１ａにより、例えば赤のカーソル４７をヒューコントロールの表示ブロックの位置に合わせる。他の表示ブロックの背景色は、白である。そして、ローラ１ａを押し込むことでスイッチ２をオンすると、ヒューコントロールの機能を選択できる。この時の管面には、第６図Ｂに示すように、カーソル４７が点滅すると共に、ローラ１ａがポインティングデバイスの機能からコントロール量入力の機能に変わったことを示すマーク４８が表れる。このカーソル４７の点滅とマーク４８とによりローラ１ａの機能が変わったことが一見して判明する。・・・（中略）・・・
　第６図Ｂの表示画面４５Ｂを見ながらローラ１ａを上方向に回転させると、被制御対象２９内のヒューコントロール回路の制御端子に対して、数値が増大する方向の制御信号が供給されると共に、表示画面４５Ｂの数値もその信号に伴って増大する。ローラ１ａを下方向に回転させると、逆に数値を減少させる方向の制御信号が発生し、表示画面４５Ｂ上の数値も減少する。ヒューコントロール以外の調整も、同様にしてローラ１ａの操作のみでなしうる。」（第４頁右下欄第２行から第５頁右上欄第１７行）
　
　３．対比
　本願発明と引用刊行物に記載の発明とを対比する。
　引用刊行物記載の「ＣＰＵ２３」が、本願発明の「中央処理装置」に相当することは明らかである。
　次に、本願発明の「ビット発生器１１」及び「フライホイールコントロール」について、本願明細書、段落［０００３］には、「本発明は、スクリーン上の表示及びマイクロコンピュータ制御方式、及びビット発生器（俗称：フライホイールコントロール）を採用し、使用者がコンピュータ用カラーモニタの幾何図形、色の純度、焦点、収斂などの機能を調整する時に、スクリーンに表示される情報に、フライホイールコントロールボタンの回転と押圧操作を組み合わせて達成できるようにし、操作を簡単とすることを課題としている。」と記載されているから、「ビット発生器」或いは「フライホイールコントロール（ボタン）」とは、回転と押圧操作の組合せにより、調整のための情報を入力するものと解される。そうすると、上記記載事項（ア）（ウ）（エ）から、引用刊行物記載の「ローラ４１」は本願発明の「ビット発生器」或いは「フライホイールコントロール（ボタン）」に相当し、ローラ４１は調整する変数をＣＰＵ２３に送り、それにより、ＣＰＵ２３はローラの回転方向（即ち、左回転或いは右回転）、回転量、或いは押し込みの動作を識別している。
　上記記載事項（ウ）の、「ＣＰＵ２３は、表示制御回路２５、スーパーインポーズ装置２６、・・・に対して制御信号を供給する。・・・また、スーパーインポーズ装置２６においては、表示制御回路２５からのカーソル情報、ローラの状態等を示すＲＧＢ信号と入力端子２７から入力ＲＧＢ信号とが合成され、出力端子２８に合成画像が取り出される。この合成画像が出力端子２８に接続されたＣＲＴに供給される。」という記載から、引用刊行物記載の「表示制御回路２５」及び「スーパーインポーズ回路２６」は、本願発明の「スクリーン上表示集積回路」及び「映像回路」に、また、引用刊行物記載の「ＣＲＴ」は本願発明の「ブラウン管」に相当する。そして、この記載、及び上記記載事項（エ）より、引用刊行物記載の発明は、ＣＰＵ２３より情報を送り、表示制御回路２５がスーパーインポーズ装置２６を経てＣＲＴ上にそれぞれ調整内容及び調整するモードを表示し、使用者がＣＲＴ上で表示された制御内容の表示とその制御量の表示とからなる表示ブロック（機能図表に相当）を見られるようにしてある。
　そして、引用刊行物記載の発明も、ローラ４１を回転させてその位置の所在を調整することで、調整したい機能に対して適当な調整が行えるものである。
　さらに、上記記載事項（ウ）の、「ＣＰＵ２３は、・・・機器内部の被制御対象２９・・・に対して制御信号を供給する。この実施例では、被制御対象は、テレビジョン装置に関連する回路である。」との記載から、引用刊行物記載の発明も、本願発明の「偏向或いはその他のハードウェア回路」を備えていることは明らかである。
　してみると、本願発明と引用刊行物記載の発明とは、「中央処理装置、ビット発生器、スクリーン上表示集積回路、映像回路、偏向或いはその他のハードウエア回路及びブラウン管を備え、ビット発生器は調整する変数を中央処理装置に送り、それによりビット発生器の左転、右転、快慢、或いは圧置の動作を識別し、スクリーン上表示集積回路が映像回路を経てブラウン管上にそれぞれ調整するアイコン（ＩＣＯＮ）及び所在の画像モードを表示し、使用者がブラウン管上で表示された機能図表を見られるようにしてあり、ビット発生器を回転させてその位置の所在を調整することで、調整したい機能に対して適当な調整が行えるフライホイールコントロールの表示装置。」である点で一致し、次の点で相違する。
　相違点１：本願発明が、「ＥＥＰＲＯＭ」を備えているのに対し、引用刊行物には「ＥＥＰＲＯＭ」は記載されていない点。
　相違点２：本願発明が「複数のディジタル・アナログ変換器」を備えているのに対して、引用刊行物にはこの構成は記載されていない点。
　相違点３：上記「表示装置」が、本願発明のものは「コンピュータ用カラーモニタ」であり、「コンピュータにより一つの情報が送られる」のに対して、引用刊行物記載のものが「テレビジョン装置」である点。
　
４．相違点の判断
　上記相違点について検討する。
（１）相違点１について
　引用刊行物記載の発明も、ヒューコントロールなどの調整内容（制御内容）について設定した調整値（制御量）を記憶することは明らかであり、また、書き換え可能な記憶手段としてＥＥＰＲＯＭ（電気的消去可能な読み取り専用メモリ）は極めて周知であるから、引用刊行物記載の発明において、調整値を記憶するためにＥＥＰＲＯＭを設けることは当業者ならば容易に想到し得たものである。
（２）相違点２について
　ＣＰＵからの信号を、被制御対象への制御信号に変換するために、ディジタル・アナログ変換器を設けることは周知であるから、引用刊行物記載の発明において、ＣＰＵ２３が機器内部の被制御対象２９に対して制御信号を供給する際に、ディジタル・アナログ変換器を設けることは当業者が普通に採用する事項である。
（３）相違点３について
　引用刊行物記載の発明は、実施例として、発明を「テレビジョン装置」に適用したものであるが、上記記載事項（イ）には「ＣＲＴディスプレイ等の表示装置を有する機器に用いる制御用入力装置としては、」と、一般的な「表示装置」を対象とすることも示唆されており、また、「テレビジョン装置」と「コンピュータ用カラーモニタ」はともにブラウン管上に画像（映像）するという点で共通するものであるから、引用刊行物記載の発明を「コンピュータ用カラーモニタ」に用い、「コンピュータにより一つの情報が送られる」ようにすることは当業者ならば容易に想到し得たものである。
　
　そして、本願発明の効果も、引用刊行物に記載された発明から当業者であれば予測し得る程度のものである。
　
 ５．むすび
  以上のとおりであるから、本願発明は引用刊行物に記載された発明に基づいて当業者が容易に発明をすることができたものであるから、特許法第２９条第２項の規定により特許を受けることができない。
　よって、結論のとおり審決する。